(57)【要約】【課題】簡単な構成で電源品質を良好に検出することができる電源品質検出装置を提供する。【解決手段】供給されている交流電源の品質を検出する電源品質検出装置２０であって、交流電源の電圧が所定電圧に達していない時には通電しない一方、前記所定電圧以上である時には通電する電圧クリップ回路２１と、電圧クリップ回路２１に入力側が接続されて、電圧クリップ回路２１側からの信号を電気的に絶縁した状態で出力側に送るフォトカプラ２３と、フォトカプラ２３の出力側に接続された電源品質検出部２２と、を備え、電源品質検出部２２は、交流電源の電圧が前記所定電圧以上である際に出力されるフォトカプラ２３側からの信号に基づいて、交流電源の品質を検出する。【選択図】図２
2019191017.tif 000002
【特許請求の範囲】
【請求項１】
供給されている交流電源の品質を検出する電源品質検出装置であって、
交流電源の電圧が所定電圧に達していない時には通電しない一方、前記所定電圧以上である時には通電する電圧クリップ回路と、
電圧クリップ回路に入力側が接続されて、電圧クリップ回路側からの信号を電気的に絶縁した状態で出力側に送るフォトカプラと、
フォトカプラの出力側に接続された電源品質検出部と、
を備え、
電源品質検出部は、交流電源の電圧が前記所定電圧以上である際に出力されるフォトカプラ側からの信号に基づいて、交流電源の品質を検出することを特徴とする電源品質検出装置。
【請求項２】
電源品質検出部は、フォトカプラ側からの出力信号の、隣り合う立ち上がり間または立ち下がり間の期間を検出することで、品質情報としての交流電源の周波数を算出することを特徴とする請求項１に記載の電源品質検出装置。
【請求項３】
電源品質検出部は、交流電源の電圧が前記所定電圧以上である期間に基づいて品質情報としての交流電源の実効電圧を推定することを特徴とする請求項１に記載の電源品質検出装置。
【請求項４】
電源品質検出部は、フォトカプラ側からの出力信号の、立ち上がりまたは立ち下がりの欠落に基づいて、品質情報としての供給されている交流電源の瞬停を検出することを特徴とする請求項１に記載の電源品質検出装置。
【請求項５】
供給された交流電源を整流する整流部を有することを特徴とする請求項１〜４の何れか１項に記載の電源品質検出装置。
【請求項６】
整流部は交流電源を全波整流することを特徴とする請求項５に記載の電源品質検出装置。
【請求項７】
電源品質検出部により検出した品質情報に基づいて、電源品質を判定し、交流電源の品質が低下していることを検出した際に警告する判定警告部を有することを特徴とする請求項１〜６の何れか１項に記載の電源品質検出装置。
【請求項８】
電源品質検出部により検出した瞬停の情報に基づいて、コンピュータのＣＰＵによる記憶部への情報の書き込み処理を停止することを特徴とする請求項１〜７の何れか１項に記載の電源品質検出装置。
【請求項９】
当該電源品質検出装置が計量装置に設けられていることを特徴とする請求項１〜８の何れか１項に記載の電源品質検出装置。
【請求項１０】
当該電源品質検出装置がトラックスケールに設けられていることを特徴とする請求項９に記載の電源品質検出装置。
【発明の詳細な説明】
【技術分野】
【０００１】
本発明は電源品質検出装置に関する。
【背景技術】
【０００２】
コンピュータ（ＣＰＵ）など備えた各種の精密機器は、品質が安定した交流電源に接続されることで、その性能が発揮される。すなわち、精密機器は、供給される交流電源の品質が悪いと、一部の性能が発揮できなくなったり、精密機器自体が作動できなくなったりする。
【０００３】
商用電源を含む交流電源などの品質を検出する装置（電源品質検出装置）としては、一般的にトランスを用いることが考えられる。すなわち、トランスを用いることで、例えば、１００Ｖや２００Ｖの交流電源の電圧を降下させるとともに電源と検出回路とを絶縁させ、コンピュータ部を接続した検出回路などで電源の電圧（電圧変動）を検出していた。
【０００４】
なお、交流電源にトランスが接続されたトランスと、トランスの出力部に電圧検出回路および電流検出部を備えた電源装置は、例えば特許文献１などに開示されている。
【先行技術文献】
【特許文献】
【０００５】
【特許文献１】特開２０１７−９９０８５公報
【発明の概要】
【発明が解決しようとする課題】
【０００６】
しかしながら、従来の電源品質検出装置ではトランスが用いられているため、重量が大きくなるとともに高価となるという課題があった。
【０００７】
本発明は、上記課題を解決するもので、簡単な構成で電源品質を良好に検出することができる電源品質検出装置を提供することを目的とするものである。
【課題を解決するための手段】
【０００８】
上記課題を解決するために本発明は、供給されている交流電源の品質を検出する電源品質検出装置であって、交流電源の電圧が所定電圧に達していない時には通電しない一方、前記所定電圧以上である時には通電する電圧クリップ回路と、電圧クリップ回路に入力側が接続されて、電圧クリップ回路側からの信号を電気的に絶縁した状態で出力側に送るフォトカプラと、フォトカプラの出力側に接続された電源品質検出部と、を備え、電源品質検出部は、交流電源の電圧が前記所定電圧以上である際に出力されるフォトカプラ側からの信号に基づいて、交流電源の品質を検出することを特徴とする。
【０００９】
上記構成によれば、電圧クリップ回路とフォトカプラとを用いて、電源の電圧が前記所定電圧以上である期間を電源品質検出部により検出することができる。すなわち、トランスを用いることなく、電源品質を検出することができるので、トランスが用いられる場合と比較して、当該電源品質検出装置を安価かつ軽量に実現できる。
【００１０】
また、本発明は、電源品質検出部が、フォトカプラ側からの出力信号の、隣り合う立ち上がり間または立ち下がり間の期間を検出することで、品質情報としての交流電源の周波数を算出することを特徴とする。この構成により、簡単な構成で、電源の周波数を検出して電源品質を判定することが可能となる。
【００１１】
また、本発明は、電源品質検出部が、交流電源の電圧が前記所定電圧以上である期間に基づいて品質情報としての交流電源の実効電圧を推定することを特徴とする。この構成により、簡単な構成で、電源の電圧を検出して電源品質を判定することが可能となる。
【００１２】
また、本発明は、電源品質検出部が、フォトカプラ側からの出力信号の、立ち上がりまたは立ち下がりの欠落に基づいて、品質情報としての供給されている交流電源の瞬停を検出することを特徴とする。この構成により、電源の瞬停を検出したり、瞬停の頻度などを検出したりして電源品質を判定することが可能となる。
【００１３】
また、本発明は、電源供給部に供給された電源を整流する整流部を有すると好適である。また、整流部は全波整流するとさらに好適であり、整流部が半波整流する場合と比較して、電圧、周波数または瞬停を素早く検出することが可能となる。
【００１４】
また、本発明は、電源品質検出部により検出した品質情報に基づいて、電源品質を判定し、交流電源の品質が低下していることを検出した際に警告する判定警告部を有することを特徴とする。この構成により、電源品質の低下を素早くかつ確実に知ることができる。
【００１５】
また、本発明は、電源品質検出部により検出した瞬停の情報に基づいて、コンピュータのＣＰＵによる記憶部へのデータの書き込み処理を停止することを特徴とする。この構成により、書き込まれるべきデータが完全に書き込まれないまま、書き込まれる予定のデータが失われてしまって、コンピュータがシステムクラッシュすることを防止することができる。
【００１６】
また、当該電源品質検出装置が計量装置に設けられていると好適であり、さらに、トラックスケールに設けられていると好適である。
【発明の効果】
【００１７】
本発明によれば、供給されている交流電源の電圧が所定電圧以上である時に通電する電圧クリップ回路と、電圧クリップ回路に入力側が接続されて、電圧クリップ回路側からの信号を電気的に絶縁した状態で出力側に送るフォトカプラと、フォトカプラの出力側に接続された電源品質検出部と、を備え、電源品質検出部は、交流電源の電圧が前記所定電圧以上である際に出力されるフォトカプラ側からの信号に基づいて、交流電源の品質を検出することにより、トランスを用いることなく、電源品質を検出することができ、当該電源品質検出装置を安価かつ軽量に実現できる。
【００１８】
また、電源品質検出部が、フォトカプラ側からの出力信号の、隣り合う立ち上がり間または立ち下がり間の期間を検出することで、簡単な構成で、電源の周波数を検出して電源品質を判定することが可能となる。
【００１９】
また、電源品質検出部が、交流電源の電圧が前記所定電圧以上である期間に基づいて品質情報としての交流電源の実効電圧を推定することにより、簡単な構成で、電源の電圧を検出して電源品質を判定することが可能となる。
【００２０】
また、電源品質検出部が、フォトカプラ側からの出力信号の、立ち上がりまたは立ち下がりの欠落に基づいて、品質情報としての供給されている交流電源の瞬停を検出することにより、簡単な構成で、電源の瞬停を検出したり、瞬停の頻度などを検出したりして電源品質を判定することが可能となる。
【００２１】
また、電源品質検出部により検出した品質情報に基づいて、電源品質を判定し、交流電源の品質が低下していることを検出した際に警告する判定警告部を有することにより、電源品質の低下を素早くかつ確実に知ることができる。
【００２２】
また、電源品質検出部により検出した瞬停の情報に基づいて、コンピュータのＣＰＵによる記憶部へのデータの書き込み処理を停止することにより、コンピュータのシステムクラッシュの発生を防止できて、信頼性が向上する。
【図面の簡単な説明】
【００２３】
【図１】本発明の実施の形態に係る電源品質検出装置が設けられている計量装置を簡略的に示す図である。
【図２】同計量装置の指示計収納部、指示計などを簡略的に示す図である。
【図３】本発明の実施の形態に係る電源品質検出装置を示す図である。
【図４】交流電源の電圧を示す図である。
【図５】交流電源の整流（全波整流）後の電圧を示す図である。
【図６】同電源品質検出装置のフォトカプラの出力信号を示す図である。
【図７】同電源品質検出装置の電源品質検出部への入力信号を示す図である。
【図８】電圧によるフォトカプラの発光部の信号および電源品質検出部への入力信号の違いを示す図である。
【発明を実施するための形態】
【００２４】
以下、本発明の実施の形態に係る電源品質検出装置を説明するが、まず、本発明の実施の形態に係る電源品質検出装置が設けられている計量装置について図面に基づき説明する。ここで、図１は計量装置の１例であるトラックスケールを簡略的に示す図、図２は同計量装置の指示計収納部、指示計などを簡略的に示す図である。
【００２５】
図１、図２に示すように、計量装置１の１例としてのトラックスケールは、荷重が負荷される（荷を積んだトラックが載せられる）荷重負荷部としての載台２と、この載台２を支持して荷重に対応するデータを出力する複数（この実施の形態では４つ）のデジタルロードセル３（３Ａ〜３Ｄ）と、デジタルロードセル３からの出力信号に基づいて荷重（重量）を算出する指示計４と、デジタルロードセル３と指示計４とを接続する接続配線５と、商用電源に接続される電源部６など、を備えており、電源部６に、本発明の実施の形態に係る電源品質検出装置２０が接続されている。また、この実施の形態では、図１、図２に示すように、指示計４や電源部６および電源品質検出装置２０などが、指示計収納部（指示計収納ボックス（収納筐体））１０内に収容されている場合を示しているが、これに限るものではない。
【００２６】
また、この実施の形態では、複数（例えば４つ）のデジタルロードセル３（３Ａ〜３Ｄ）が、ロードセルユニット接続部（いわゆるジャンクション・ボックス）７に接続され、接続配線５を通してデジタルロードセル３側への電源が供給されるとともに、各デジタルロードセル３（３Ａ〜３Ｄ）からの信号が接続配線５を通して指示計４側に送られる。なお、図２における１１は、指示計収納部１０を含めた計量装置１全体の電源をＯＮ（接続）・ＯＦＦ（切断）する全体電源スイッチ、１２は商用電源に接続される電源プラグ（電源供給部）、１３は接続配線５が接続される端子台である。
【００２７】
図２に示すように、指示計４は、例えば、指示計収納部（指示計収納ボックス）１０に、着脱可能な状態で組み付けられており、指示計電源スイッチ４ａと、計量値を含めた各種情報を表示する表示部４ｂと、各種の設定を行う際に用いられる入力部４ｃと、デジタルロードセル３に重量値などの信号を送るように指示するとともに、全てのデジタルロードセル３からの信号を入力して計量値を算出したり計量動作に関する各種制御を行ったりする指示計ＣＰＵ（指示計制御部）４ｄや、計量に関する各種情報などを記憶する記憶部４ｅなどを有している。
【００２８】
また、指示計４を着脱自在に収納する指示計収納部１０に、電源部６やサブＣＰＵ１６、などを有するサブ基板１５や、計量装置１０全体の制御などを行う内蔵ＣＰＵ（上位コンピュータＣＰＵ）１７や各種の情報を記憶保存する記憶部１８も設けられている。なお、サブ基板１５には、デジタルロードセル３からの出力データなどを一時的に記憶する領域を有する記憶部１６ａも設けられている。また、この計量装置１では、指示計４の電源スイッチ４ａが入っていない際でも、サブ基板１５やデジタルロードセル３に給電されている。
【００２９】
図２、図３に示すように、指示計収納部１０（この実施の形態では指示計収納部１０のサブ基板１５）には、供給されている交流電源の品質を検出する本発明の実施の形態に係る電源品質検出装置２０が設けられている。電源品質検出装置２０は、交流電源（この実施の形態では１００Ｖの商用交流電源）の電圧が所定の電圧（交流電源の規定された最大瞬時電圧値（この実施の形態では約１４１Ｖ（１００×√２））より低い電圧で、例えば１００Ｖ）に達していない時には通電しない（ＯＦＦする）一方、前記所定電圧以上である時には通電する（ＯＮする）電圧クリップ回路２１と、電圧クリップ回路２１に入力側が接続され、電圧クリップ回路２１側からの信号を電気的に絶縁した状態で出力側に送るフォトカプラ２３と、フォトカプラの出力側に接続された電源品質検出部２２などを備えている。
【００３０】
そして、電源品質検出装置２０の電源品質検出部２２は、電圧クリップ回路２１とフォトカプラ２３とを用いて、交流電源の電圧が前記所定電圧（閾値電圧）以上である際に出力されるフォトカプラ２３側からの信号に基づいて交流電源の品質を検出する。なお、この実施の形態では、図３に示すように、電圧クリップ回路２１はツェナーダイオードで構成されているが、所定電圧以上である時に通電する（ＯＮする）回路であれば、ツェナーダイオード以外の構成でも差し支えない。
【００３１】
また、この実施の形態では、図３に示すように、電源品質検出装置２０には、供給されている交流電源を整流する整流部２４と、フォトカプラ２３の出力部の一方に接続された直流電源部（フォトカプラ２３の出力部がＯＦＦ状態である際に所定電圧に引き上げる電源部）２５と、電源品質検出部２２により検出した品質情報に基づいて電源品質を判定し、交流電源の品質が低下していることを検出した際にエラー出力などの警告を行う判定警告部２６なども設けられている。なお、この実施の形態では、整流部２４は４つのダイオードをブリッジ回路で接続させた構成とされ、図４、図５に示すように、供給された交流電源を全波整流するよう構成されている。
【００３２】
したがって、フォトカプラ２３には、全波整流された電圧が負荷されて、この電圧が前記所定電圧（１００Ｖ）以上の際には、フォトカプラ２３が発光および受光され、図６に示すように、電圧が前記所定電圧（１００Ｖ）以上の際にフォトカプラ２３の発光部がＨ（高電圧）となる。また、この実施の形態では、フォトカプラ２３が通電された際のみ接地することで電圧が低下してＬ（低電圧）となる（ＬＨの信号が逆となる）（図７参照）。
【００３３】
電源品質検出部２２は、フォトカプラ２３側からの出力信号の隣り合う立ち下がり間（または、立ち上がり間）の期間Ａ（図７参照）を検出し、この期間Ａに基づいて、交流電源の周波数を算出する。例えば、この期間が１０ｍｓｅｃの場合には、５０Ｈｚである。具体的には、例えば、以下の計算式（数１）から周波数を算出する。ここで、検出する際のカウント基準周波数が例えば４ＭＨｚ（分解能２５０ｎｓ）として、立ち下がり（立ち下がりエッジ）や立ち上がり（立ち上がりエッジ）を計測し、入力パルス間隔（期間Ａ）の測定を行う。ここで、Pfreqは電源周波数（Hz）、Cfreqは基準周波数（Hz）＝４MHzであり、Cfn（ｎは時系列のデータ）は電源周期カウント値である。また、カウント値の加算はlong型、周波数計算はfloat型で行う。以下に述べる数１ではｎ＝１〜４のΣ（総和）をとることで直近４回分の平均を算出している。
【数１】
2019191017.tif 000003
【００３４】
また、予め、判定用最低周波数や判定用最高周波数を予め設定しておき、測定した周波数が、判定用最低周波数を下回ったり、判定用最高周波数を超えたりした場合には、交流電源の品質（周波数）が低下していると判定警告部２６により判定し、電源周波数異常であるとして、エラー情報を出力する（表示したり記憶したりする（印刷したり表示可能な状態とする））。
【００３５】
また、電源品質検出部２２は、交流電源の電圧が前記所定電圧（１００Ｖ）以上である期間Ｂに基づいて品質情報としての交流電源の実効電圧を推定する。すなわち、供給されている交流電源は正弦波であるとみなし、電圧が高くなるほど前記所定電圧（１００Ｖ）以上である期間Ｂが長くなるため、この期間Ｂから交流電源の実効電圧を推定する。例えば、以下の計算式（数２）から電圧を推定（算出）する。ここで、検出する際のカウント基準周波数が例えば４ＭＨｚ（分解能２５０ｎｓ）として、電圧を（算出）する。ここで、Vestは電圧推定値（V）、Vdctは波形検出電圧（ここでは、例えば、約１０５．５V）、Cpn（ｎは時系列のデータ）は電圧検出カウント値、Cerrは電圧検出補正値（例えば、約−１００）、Cfn（ｎは時系列のデータ）は電源周期カウント値である。また、カウント値の加算はlong型、周波数計算はfloat型で行う。波形検出電圧Vdct、電圧検出補正値Cerrは、補正可能な値なので、その計量装置などで実測することで調整することが望ましい。電圧検出補正値Cerrは、信号の立ち下がり時間と立ち上がり時間との差であり、例えば、２５μｓで−１００とする。以下に述べる数２ではｎ＝１〜４のΣ（総和）をとることで直近４回分の平均を算出している。
【数２】
2019191017.tif 000004
【００３６】
例えば、図８において、左側は交流電源の実効電圧が１００Ｖである場合のフォトカプラ２３の発光部の信号および電源品質検出部２２への入力信号ならびにその期間Ｂ１を示し、中央は交流電源の実効電圧が１００Ｖよりも低い場合のフォトカプラ２３の発光部の信号および電源品質検出部２２への入力信号ならびにその期間Ｂ２を示し、右側は交流電源の実効電圧がさらに低い場合のフォトカプラ２３の発光部の信号および電源品質検出部２２への入力信号ならびにその期間Ｂ３を示す。すなわち、交流電源の実効電圧が１００Ｖよりも低い場合の、前記所定電圧（１００Ｖ）以上である期間Ｂ２は、交流電源の実効電圧が１００Ｖ（最大瞬時電圧値約１４１Ｖ）である場合の、前記所定電圧（１００Ｖ）以上である期間Ｂ１よりも短くなり、さらに、交流電源の実効電圧が低くなって、最大（最高）瞬時電圧値が１００Ｖよりも低くなった場合には、期間Ｂ３が０となる。このように、電圧が低くなるほど、所定電圧を超える時間が短くなる特性を用いて、交流電源の電圧を推定する。
【００３７】
また、予め、判定用最低電圧や判定用最高電圧を設定しておき、測定した電圧が、判定用最低電圧を下回ったり、判定用最高電圧を超えたりした場合には、交流電源の品質（電圧数）が低下していると判定警告部２６により判定し、電源電圧異常であるとして、エラー情報を出力する（表示したり記憶したりする（印刷したり表示可能な状態とする））。
【００３８】
また、電源品質検出部２２は、フォトカプラ２３の発光部の信号の、立ち上がりまたは立ち下がりが欠落して、電源品質検出部２２への入力信号がＨ（高電圧）のまま（またはフォトカプラ２３の発光部の信号がＬ（低電圧）のまま）である期間を計測し、所定期間（例えば１０ｍｓ）以上であれば瞬停と判定し、瞬停時間や瞬停回数を検出する。例えば、カウント基準周波数を１２５ｋＨｚ（分解能２５０μｓ）とし、カウント値が１２５０以上、すなわちＨ（高電圧）の期間が１０ｍｓ以上である場合には、瞬停回数カウンタを１カウントアップし、カウント値が２５００以上、すなわちＨ（高電圧）の期間が２０ｍｓ以上である場合には、瞬停回数カウンタを２カウントアップし、カウント値が５０００以上、すなわちＨ（高電圧）の期間が４０ｍｓ以上である場合には、瞬停回数カウンタを３カウントアップし、カウント値が１００００以上、すなわちＨ（高電圧）の期間が８０ｍｓ以上である場合には、瞬停回数カウンタを４カウントアップするなどすればよいが、これに限るものではない。また、カウント数を確認して、カウント値が１０００以上であれば、エラー出力（例えば、電圧低下警告）などを出力してもよい（表示したり記憶したりする）。
【００３９】
上記構成によれば、簡単な構成で、交流電源の周波数や電圧、瞬停を検出して電源品質を判定することができる。そして、トランスを用いることなく、電源品質（交流電源の周波数、電圧、瞬停の有無ならびに頻度）を検出することができ、当該電源品質検出装置２０を安価かつ軽量に実現できる。すなわち、瞬停が定常的に発生している場合は、供給されている交流電源が不安定か、当該交流電源に、動力系の機器が接続されているなどして、突発的な大電流を生じることで交流電源の電圧が低下している状態であると考えられる。そして、何れの場合も、精密機器である計量装置１の電源部６の回路にストレスを与えて製品の寿命を短くする恐れがあるとともに、交流電源の不安定さにより、各種のＣＰＵ（コンピュータ）４ｄ、１６、１７の動作が不安定になる恐れがある。したがって、電源品質（交流電源の周波数、電圧、瞬停の有無ならびに頻度）の低下（上記エラー情報や警告など）が検出されている場合には、交流電源が不安定を確認することができて、安定化電源を付加するなどして、各種の対策を行うことができる。
【００４０】
また、瞬停を検出した時点で、内蔵ＣＰＵ１７に信号（瞬停検出信号）を出力し、この瞬停検出信号を入力した時点で内蔵ＣＰＵ（上位コンピュータＣＰＵ）１７は記憶部１８へのデータ書き込みを停止するよう構成してもよい。つまり、内蔵ＣＰＵ１７は、瞬停があったことを通知された時点で、ＲＡＭなどの記憶部１８に記憶されている内容の書き込み処理を完了するとともに、新たな書き込み開始処理を停止する。これにより、内蔵ＣＰＵ１７でシステムクラッシュが発生することを防止できる。つまり、記憶部１８にデータを書き込んでいる時に電源が切断されてしまうと、書き込まれるべきデータが完全に書き込まれないまま、書き込まれる予定のデータが失われてしまうため、最悪の場合には内蔵ＣＰＵ１７のシステムクラッシュが発生することがあるが、上記構成によれば、内蔵ＣＰＵ１７（上位コンピュータ）のシステムクラッシュの発生を防止できて、信頼性が向上する。
【００４１】
なお、上記構成において、電源品質の情報については、例えば、計量装置のメンテナンスを行う者などの特定の人が操作、表示させるようにすれば好適であるが、これに限るものではなく、計量装置を使用する人などにも表示、出力可能に構成してもよい。
【００４２】
また、上記実施の形態では、整流部２４は交流電源を全波整流するので、交流電源を半波整流する場合と比較して、電圧、周波数または瞬停を素早く検出することが可能となる。しかし、これに限るものではなく、整流部２４として、交流電源を半波整流する構成のものを用いてもよい。
【００４３】
また、上記実施の形態では、電源品質検出装置２０が、計量装置１（トラックスケール）に設けられている場合を述べたが、これに限るものではなく、交流電源を供給されて作動する各種の精密機器などにも、この電源品質検出装置２０を設けてもよいことはもちろんである。
【符号の説明】
【００４４】
１      計量装置（トラックスケール）
２      載台
３、３Ａ〜３Ｄ    デジタルロードセル
４    指示計
１０    指示計収納部
１５    サブ基板
１６    サブＣＰＵ
１７    内蔵ＣＰＵ（上位ＣＰＵ）
１８    記憶部
２０    電源品質検出装置
２１    電圧クリップ回路
２２    電源品質検出部
２３    フォトカプラ
２４    整流部
２５    直流電源部
２６    判定警告部
【図１】
2019191017.tif 000005
【図２】
2019191017.tif 000006
【図３】
2019191017.tif 000007
【図４】
2019191017.tif 000008
【図５】
2019191017.tif 000009
【図６】
2019191017.tif 000010
【図７】
2019191017.tif 000011
【図８】
2019191017.tif 000012